(57)【要約】【課題】従来技術と比べて、背凭れ部の前側への傾動の制限を緩和し、収納性に優れたリクライニング椅子を提供することを目的とする。【解決手段】本発明のリクライニング椅子１は、台部２と、台部２の前後方向に摺動可能に設けられた座部３と、座部３に傾動可能に連結された背凭れ部４とを備え、座部３の摺動と背凭れ部４の傾動とが連動するように構成されたリクライニング椅子１であって、背凭れ部４の後面４ａが、台部２に設置された固定軸２２に当接し、固定軸２２に対して移動することにより、背凭れ部４が傾動し、背凭れ部４の後面４ａが固定軸２２から離間可能であることを特徴とする。【選択図】図１
2019017866.tif 000002
【特許請求の範囲】
【請求項１】
台部と、
前記台部の前後方向に摺動可能に設けられた座部と、
前記座部に傾動可能に連結された背凭れ部とを備え、
前記座部の摺動と前記背凭れ部の傾動とが連動するように構成されたリクライニング椅子であって、
前記背凭れ部の後面が、前記台部に設置された固定軸に当接し、前記固定軸に対して移動することにより、前記背凭れ部が傾動し、
前記背凭れ部の後面が前記固定軸から離間可能であることを特徴とするリクライニング椅子。
【請求項２】
前記座部が所定の基準位置から移動した際に前記基準位置に戻るように前記座部を付勢する付勢部材をさらに備えることを特徴とする請求項１記載のリクライニング椅子。
【請求項３】
着座者の荷重によって前記座部および前記背凭れ部が受ける力と、前記付勢部材の付勢力とがバランスすることにより、前記座部が、前記基準位置から離間したバランス位置に位置付けられるように構成されることを特徴とする請求項２記載のリクライニング椅子。
【請求項４】
前記台部に対する前記座部の上方向への移動を規制する規制部を備えることを特徴とする請求項１〜３のいずれか１項に記載のリクライニング椅子。
【請求項５】
前記規制部が、前記座部または前記台部に設けられる係合凸部と、前記台部または前記座部に設けられ、前記台部に対する前記座部の上方向への移動を規制するように前記係合凸部と係合可能な被係合凹部とを備えていることを特徴とする請求項４記載のリクライニング椅子。
【請求項６】
前記係合凸部が、前記台部に前記座部が設けられた状態で、前記座部または前記台部に対して着脱自在に構成されていることを特徴とする請求項５記載のリクライニング椅子。
【発明の詳細な説明】
【技術分野】
【０００１】
本発明は、リクライニング椅子に関する。
【背景技術】
【０００２】
特許文献１には、背凭れを後側に傾動可能なリクライニング椅子が開示されている。このリクライニング椅子は、背凭れの下端と座席の後端とがリンク結合されて、背凭れの傾動に対応して座席が前後動するように構成されている。このリクライニング椅子は、背凭れの傾動に対応して座席が前後動するので、背凭れだけが傾動する椅子と比べて、着座者がよりリラックスして着座することができる。
【先行技術文献】
【特許文献】
【０００３】
【特許文献１】実開昭６２−１６３４９号公報
【発明の概要】
【発明が解決しようとする課題】
【０００４】
特許文献１のリクライニング椅子では、背凭れの両側外方に突出して設けられた回転軸がそれぞれ、ベースフレームの両側に設けられた長方形の長孔に挿通され、回転軸が長孔内でその移動が制限されながら、背凭れが傾動する。したがって、背凭れの傾動は、前側および後側のいずれの方向においても、座席の前後動と連動する。特に、背凭れが前側に傾動する場合は、座席の後側への移動が制限されているために、背凭れの前側への傾動は大きく制限される。
【０００５】
たとえば旅館などにおいてこのようなリクライング椅子を使用する場合には、客室の数に応じてなど多数保有する必要があるが、それと同時に、多数のリクライニング椅子を不使用時に限られた空間内に収納する必要が生じる。ところが、このリクライニング椅子は、背凭れの前側への傾動が大きく制限されるので、たとえば、背凭れの上方に突出した部分が収納スペースを占有し、また、背凭れの上方に突出した部分が邪魔でリクライニング椅子を互いに積み重ねることも容易ではないので、収納スペースを大きく占有することになる。さらに、リクライニング椅子を運送するために運送トラックなどに積載して収納する際にも同じような問題が生じ、一度に運送トラックに積載して収納できる数が少なくなるので、リクライニング椅子１つあたりの運送費の高騰をもたらすことになる。
【０００６】
本発明は、上記問題に鑑みなされたもので、従来技術と比べて、背凭れ部の前側への傾動の制限を緩和し、収納性に優れたリクライニング椅子を提供することを目的とする。
【課題を解決するための手段】
【０００７】
本発明のリクライニング椅子は、台部と、前記台部の前後方向に摺動可能に設けられた座部と、前記座部に傾動可能に連結された背凭れ部とを備え、前記座部の摺動と前記背凭れ部の傾動とが連動するように構成されたリクライニング椅子であって、前記背凭れ部の後面が、前記台部に設置された固定軸に当接し、前記固定軸に対して移動することにより、前記背凭れ部が傾動し、前記背凭れ部の後面が前記固定軸から離間可能であることを特徴とする。
【０００８】
また、前記座部が所定の基準位置から移動した際に前記基準位置に戻るように前記座部を付勢する付勢部材をさらに備えることが好ましい。
【０００９】
また、着座者の荷重によって前記座部および前記背凭れ部が受ける力と、前記付勢部材の付勢力とがバランスすることにより、前記座部が、前記基準位置から離間したバランス位置に位置付けられるように構成されることが好ましい。
【００１０】
また、前記台部に対する前記座部の上方向への移動を規制する規制部を備えることが好ましい。
【００１１】
また、前記規制部が、前記座部または前記台部に設けられる係合凸部と、前記台部または前記座部に設けられ、前記台部に対する前記座部の上方向への移動を規制するように前記係合凸部と係合可能な被係合凹部とを備えていることが好ましい。
【００１２】
また、前記係合凸部が、前記台部に前記座部が設けられた状態で、前記座部または前記台部に対して着脱自在に構成されていることが好ましい。
【発明の効果】
【００１３】
本発明によれば、従来技術と比べて、背凭れ部の前側への傾動の制限を緩和し、収納性に優れたリクライニング椅子を提供することができる。
【図面の簡単な説明】
【００１４】
【図１】本発明の第１実施形態に係るリクライニング椅子の斜視図（見易さのために座部の一部の図示を省略）である。
【図２】図１のリクライニング椅子のＡ−Ａ線断面図である。
【図３】図１のリクライニング椅子のＢ−Ｂ線断面図である。
【図４】図２のリクライニング椅子において、背凭れ部が後側に傾動し、座部が前側に摺動した状態を示す図である。
【図５】図２のリクライニング椅子において、背凭れ部が前側に傾動して折り畳まれた状態を示す図である。
【図６】本発明の第２実施形態に係るリクライニング椅子の分解斜視図である。
【図７】本発明の第３実施形態に係るリクライニング椅子の分解斜視図である。
【発明を実施するための形態】
【００１５】
以下、添付図面を参照して、本発明の３つの実施形態（第１実施形態、第２実施形態および第３実施形態）に係るリクライニング椅子１、１０、２０を説明する。ただし、本発明のリクライニング椅子は、以下の３つの実施形態に限定されることはない。以下の説明の中において、特に断らない限り、「前」、「後」、「左」、「右」、「上」、「下」との方向を示す用語は、リクライニング椅子に着座した状態の着座者から見た方向を示すものである。具体的には、着座者から見た前方を「前」、後方を「後」、左方を「左」、右方を「右」、鉛直方向上方を「上」、鉛直方向下方を「下」と称する。また、「前後方向」、「上下方向」および「左右方向」の用語はそれぞれ、対象部材の前後を結ぶ方向、上下を結ぶ方向、左右を結ぶ方向を意味し、厳密な意味で水平方向や鉛直方向に限定するものではなく、水平方向や鉛直方向から傾斜した方向も含むことが意図される。
【００１６】
（第１実施形態）
第１実施形態に係るリクライニング椅子１は、図１に示されるように、台部２と、台部２の前後方向に摺動可能に設けられた座部３と、座部３に傾動可能に連結された背凭れ部４とを備えている。リクライニング椅子１は、座部３の摺動と背凭れ部４の傾動とが連動するように構成されている。
【００１７】
台部２は、座部３を摺動可能に支持し、背凭れ部４を傾動可能に支持する部位である。台部２は、図１に示されるように、座部３を摺動可能に支持する座部支持部２１と、背凭れ部４を傾動可能に支持する固定軸２２とを備えている。座部支持部２１および固定軸２２は、上下方向に延びて立設する支持脚２３、２４に取り付けられる。台部２はさらに、支持脚２３、２４の上端に固定され、着座者が肘を置くための肘掛２５を備えている。ただし、台部２は、座部３を摺動可能に支持し、背凭れ部４を傾動可能に支持することができれば、本実施形態に限定されることはなく、たとえば肘掛２５を有していなくてもよいし、支持脚２３、２４が上下方向から傾斜していてもよい。また、台部２は、座部３を摺動可能に支持し、背凭れ部４を傾動可能に支持する強度を有していれば、その材質は特に限定されることはなく、木材、樹脂、金属などの任意の材料を材質として採用することができる。
【００１８】
座部支持部２１は、座部３を支持するとともに、座部３の前後方向の摺動を案内するように構成されている。座部支持部２１は、図１および図２に示されるように、座部３の下面に摺接して座部３の下方への移動を規制する下方摺接部２１ａと、座部３の左右両側面に摺接して座部３の左右両側への移動を規制する一対の側方摺接部２１ｂ、２１ｂとを備えている。座部３は、下方摺接部２１ａによって下方向への移動が規制され、側方摺接部２１ｂによって左右方向への移動が規制されて、座部支持部２１に対して前後方向への摺動が案内される。本実施形態では、下方摺接部２１ａは、左右方向に延びる略板状の部材であり、一対の側方摺接部２１ｂ、２１ｂはそれぞれ、前後方向に延びる略直方形状の部材である。下方摺接部２１ａおよび一対の側方摺接部２１ｂ、２１ｂは、下方摺接部２１ａの延在方向の両端に一対の側方摺接部２１ｂ、２１ｂの側面が固定されて、互いに接続される。下方摺接部２１ａおよび一対の側方摺接部２１ｂ、２１ｂは、互いに接続されることにより、座部３を摺動可能に収容する空間を確定する。座部支持部２１は、側方摺接部２１ｂ、２１ｂの前端が前側支持脚２３、２３に固定され、側方摺接部２１ｂ、２１ｂの後端が後側支持脚２４、２４に固定されることで、台部２に取り付けられる。
【００１９】
座部支持部２１は、本実施形態では、図２に示されるように、後側よりも前側の方が上側に位置するように傾斜している。それによって、座部支持部２１に支持される座部３も同様に、後側よりも前側の方が上側に位置するように傾斜し、その傾斜方向に沿って摺動する。したがって、着座者は、リクライニング椅子１に着座した際に重心が後側に移動するので、リクライニング椅子１の後側に引き寄せられるように安定して着座することができる。その傾斜角度は、特に限定されることはないが、水平に対して０〜１０°の範囲で適宜決定することができる。たとえば、２〜８°の範囲が好ましく、４〜６°の範囲がさらに好ましい。一方、後述する付勢部材５が設けられない場合は、むしろ傾斜を設けずに水平で、傾斜角度が０°であることが好ましい。傾斜角度が０°であることによって、座部３を元の位置に容易に戻すことができる。
【００２０】
固定軸２２は、背凭れ部４が傾動する際の支点となって、背凭れ部４を支持するように構成されている。固定軸２２は、図１に示されるように、その設置位置が台部２に対して固定されるように、一対の後側支持脚２４、２４の間に設置される。固定軸２２は、略円柱状に形成され、左右方向に亘って略水平に延びるように、軸方向の両端が一対の後側支持脚２４、２４に固定される。固定軸２２は、背凭れ部４の後側への傾動の際に固定軸２２に対して背凭れ部４の後面４ａが接触または摺接し、背凭れ部４の前側への傾動の際に固定軸２２から背凭れ部４の後面４ａが離間するように、背凭れ部４より後側に設けられている。固定軸２２は、背凭れ部４より後側に設けられていれば、設けられる上下方向の位置は特に限定されることはない。たとえば、固定軸２２は、着座者による荷重によって背凭れ部４が後側に傾動しやすいように、背凭れ部４の上下方向の中心よりも下側の後面４ａの位置が固定軸２２と接触または摺接するように位置付けられる。また、固定軸２２は、たとえば上下方向に沿って台部２に複数設けられた設置位置に対して着脱自在に構成されるなどして、高さ位置が調節できるように台部２に設置されてもよい。そうすることによって、背凭れ部４に対する支点の位置を変えて、背凭れ部４の傾動に要する力を調節することができるので、着座者の身長や体重に合わせて背凭れ部４の傾動のし易さを調節することができる。
【００２１】
固定軸２２は、その設置位置が台部２に対して固定されていればよく、軸周り回転不能または軸周り回転可能のいずれで固定されていてもよい。また、固定軸２２は、本実施形態では略円柱状に形成されているが、背凭れ部４の傾動に応じて軸周りで回転可能であれば、略角柱状など他の形状に形成されてもよい。また、固定軸２２は、背凭れ部４を支持できる強度を有していれば、その材質は特に限定されることはなく、金属、木材、樹脂などの任意の材料を材質として採用することができる。
【００２２】
座部３は、リクライニング椅子１に着座する際に着座者が座る部位である。座部３は、図１および図２に示されるように、台部２の座部支持部２１に対して前後方向に摺動可能に設けられる。より具体的には、座部３は、下面が座部支持部２１の下方摺接部２１ａに摺接し、側面が座部支持部２１の一対の側方摺接部２１ｂ、２１ｂに摺接するように、下方摺接部２１ａおよび一対の側方摺接部２１ｂ、２１ｂにより画定される空間に設けられる。座部３は、全体として前後左右方向に伸張する（上面視で）略矩形状に形成され、その後端が背凭れ部４の下端にヒンジ接続される。座部３は、本実施形態では蝶番７を介して背凭れ部４にヒンジ接続されるが、背凭れ部４が傾動可能に接続されれば、蝶番に限定されることはなく、公知のリンク機構を介して接続されてもよい。また、座部３と背凭れ部４とが接続される位置も、特に限定されることはない。
【００２３】
座部３は、図１および図２に示されるように、前後に延び、座部支持部２１の下方摺接部２１ａに摺接する一対の座部摺接部３１、３１と、左右に延び、座部支持部２１の下方摺接部２１ａから離間する複数の中央連結部３２とを備えている。一対の座部摺接部３１、３１および複数の中央連結部３２は、複数の中央連結部３２の延在方向の両端に座部摺接部３１、３１の内側の側面が固定されて、互いに接続される。ただし、座部３は、着座者が座ることができ、台部２に対して前後方向に摺動可能に設けることができれば、その形状は限定されることはない。また、座部３は、着座者による荷重を支持できる強度を有していれば、その材質は特に限定されることはなく、木材、樹脂、金属などの任意の材料を材質として採用することができる。
【００２４】
背凭れ部４は、リクライニング椅子１に着座する際に着座者の背中を含む背面が凭れ掛かる部位である。背凭れ部４は、図１および図２に示されるように、全体として上下方向に延びる（前面視で）略矩形状に形成され、その下端が座部３の後端に傾動可能にヒンジ接続される。背凭れ部４は、図２および図４に示されるように、背凭れ部４の後面４ａが、台部２に設置された固定軸２２に当接し、固定軸２２に対して移動することにより、背凭れ部４が傾動するように構成される。たとえば、背凭れ部４の後面４ａは、固定軸２２が台部２に対して軸周り回転不能に固定されている場合、固定軸２２上を摺動し、固定軸２２が台部２に対して軸周り回転可能に固定されている場合、固定軸２２を軸周り回転させながら、固定軸２２上を移動する。また、背凭れ部４は、図５に示されるように、背凭れ部４の後面４ａが固定軸２２から離間可能であるように構成される。より具体的には、背凭れ部４は、背凭れ部４の後側への傾動の際に（図２の状態から図４の状態へ変化する際に）固定軸２２に対して背凭れ部４の後面４ａが接触または摺接し、背凭れ部４の前側への傾動の際に（図２の状態から図５の状態へ変化する際に）固定軸２２から背凭れ部４の後面４ａが離間するように構成されている。背凭れ部４は、前側への傾動が固定軸２２によって制限されることがないので、たとえば、図５に示されるように、座部３と略平行な位置まで折り畳むことができる。リクライニング椅子１は、従来技術と比べて、背凭れ部４の前側への傾動の制限が緩和され、背凭れ部４を前側に折り畳むことができるので、収納性が向上する。
【００２５】
背凭れ部４は、図１および図２に示されるように、着座者の腰から背中にかけて凭れ掛かる下側背凭れ部４１と、着座者の背中から後頭部にかけて凭れ掛かる上側背凭れ部４２とを有している。上側背凭れ部４２は、下側背凭れ部４１の延びる方向に対して前側に傾斜して延びている。したがって、背凭れ部４が後側に傾動しても、着座者は、顔が正面に近い方向を向くので、正面にあるテレビや対話者などと向き合うことができる。ただし、背凭れ部４は、着座者の背面が凭れ掛かることができ、固定軸２２に後面４ａが当接して傾動することができれば、その形状は限定されることはない。また、背凭れ部４は、着座者による荷重を支持できる強度を有していれば、その材質は特に限定されることはなく、木材、樹脂、金属などの任意の材料を材質として採用することができる。
【００２６】
リクライニング椅子１は、座部３が所定の基準位置から移動した際に基準位置に戻るように座部３を付勢する付勢部材５をさらに備えている。ここで、所定の基準位置とは、外部から負荷が加えられていない状態で平衡を保つように予め定められた座部３の位置のことである。本実施形態では、所定の基準位置とは、リクライニング椅子１に着座者が着座しておらず、着座者による荷重が付加されていない状態の座部３の位置（図２の位置）のことである。着座者がリクライニング椅子１に着座して、背凭れ部４に荷重を加えると背凭れ部４が後側に傾動し、それに連動して座部３が前側に摺動するが（図４の位置）、付勢部材５は、座部３が基準位置に戻るように座部３を後側に付勢する。したがって、リクライニング椅子１は、着座者の荷重によって座部３および背凭れ部４が受ける力と、付勢部材５の付勢力とがバランスすることにより、座部３が、基準位置（図２の位置）から離間したバランス位置（図４の位置）に位置付けられるように構成される。リクライニング椅子１は、座部３を特定の位置でロックするためのロック機構を設けなくても、座部３をバランス位置に位置付けることができるので、ロック機構を省略して軽量化を図ることができる。さらに、リクライニング椅子１は、ロック機構により座部がロックされることがないので、着座者が姿勢を動かすことによって座部３および背凭れ部４にかかる負荷が変わって、座部３および背凭れ部４がバランス位置を中心に揺動するので、着座者が「ゆりかご」に乗っているような感覚で快適に着座することができる。ただし、リクライニング椅子１は、付勢部材５を有さずに、座部３を特定の位置でロックするためのロック機構を有していても構わない。
【００２７】
付勢部材５としては、本実施形態では、図１および図２に示されるように、４つの公知の引張りコイルばねが用いられる。引張りコイルばね５の一端は、台部２に固定され、引張りコイルばね５の他端は、座部３に固定される。引張りコイルばね５は、座部３が所定の基準位置から台部２に対して前側に摺動すると（図２の状態から図４の状態に変化すると）、初期の長さから伸長されることで付勢力が蓄積されて、所定の基準位置に戻るように台部２に対して座部３を後側に付勢する。
【００２８】
図１および図２に示されるように、引張りコイルばね５の一端は、ボルトなどの公知の固定手段Ｂにより座部支持部２１の下方摺接部２１ａの下面に固定され、引張りコイルばね５の他端は、座部３の下面に設けられたフックなどの公知の係止手段Ｆにより、座部３の中央連結部３２の下面に取り外し可能に固定される。引張りコイルばね５の他端が係止手段Ｆにより係止するだけで座部３の中央連結部３２の下面に固定することができるので、リクライニング椅子１の組み立ての際に容易に引張りコイルばね５を取り付けることができる。さらに、引張りコイルばね５の他端が取り外し可能なので、後述する第２実施形態のリクライニング椅子１０のように、座部３を台部２から取り外す際に容易に取り外すことができる。ただし、引張りコイルばね５は、一端が係止手段Ｆにより取り外し可能に固定され、他端が固定手段Ｂにより固定されてもよく、また、一端および他端の両方が、係止手段Ｆにより取り外し可能に固定されるか、または固定手段Ｂにより固定されても構わない。また、付勢部材５は、座部３が所定の基準位置から移動した際に基準位置に戻るように座部３を付勢することができればよく、圧縮コイルばねなど他の付勢部材を用いてもよいし、接続される位置も上述した位置とは異なる位置であってもよく、その数も３つ以下や５つ以上であってもよい。
【００２９】
リクライニング椅子１は、図３に示されるように、台部２に対する座部３の上方向への移動を規制する規制部６を備えている。リクライニング椅子１は、座部３の上方向への移動を規制する規制部６を備えることにより、座部３の浮き上がりが抑制され、着座者が安定して着座することができる。ただし、リクライニング椅子１は、以下の第３実施形態に関連して説明するように、必ずしも規制部６を備えていなくてもよく、座部３および背凭れ部４の自重や着座者による荷重によって座部３の上方向への移動を規制することも可能である。
【００３０】
規制部６は、本実施形態では、図３に示されるように、座部３に設けられる係合凸部６１と、台部２に設けられ、台部２に対する座部３の上方向への移動を規制するように係合凸部６１と係合可能な被係合凹部６２とを備えている。ここで、座部３には、図１に示されるように、座部３の左右方向に亘って略水平に延びる（台部２に対して可動の）可動軸３３が設けられている。係合凸部６１は、この可動軸３３が座部３の左右方向の側面から突出した部分として形成される。一方、被係合凹部６２は、台部２の座部支持部２１の側方摺接部２１ｂの内側において、側方摺接部２１ｂの前後方向に沿って延びる凹部として形成される。係合凸部６１は、被係合凹部６２の延びる方向に沿って、被係合凹部６２内を摺動することができるように構成されている。係合凸部６１は、被係合凹部６２の上側の壁と係合することにより、台部２に対する座部３の上方向への移動を規制する。係合凸部６１はさらに、被係合凹部６２の下側の壁とも係合することにより、台部２に対する座部３の下方向への移動も規制する。したがって、本実施形態では、係合凸部６１および被係合凹部６２は、台部２に対する座部３の上下両方向の移動を規制して、座部３の前後方向の摺動を案内する。さらに、本実施形態では、被係合凹部６２は、前側および後側の両方に、係合凸部６１が係合可能な壁を有し、係合凸部６１、ひいては座部３が所定の位置よりも前側および後側に移動することを規制するように構成されている。ただし、係合凸部６１と被係合凹部６２とは、台部２に対する座部３の上方向への移動を規制するように互いに係合することができればよく、たとえば被係合凹部６２の前側や後側、下側の壁が設けられていなくてもよい。また、係合凸部６１および被係合凹部６２の設けられる位置も特に限定されることはなく、係合凸部６１が、台部２に設けられ、被係合凹部６２が座部３に設けられていても同じ目的が達成される。
【００３１】
係合凸部６１は、本実施形態では、被係合凹部６２から抜出不能に構成されている。しかし、被係合凹部６２に、座部支持部２１の外部から、係合凸部６１と被係合凹部６２とが係合する位置まで、係合凸部６１が移動可能な通路を接続することで、係合凸部６１が設けられた座部３を座部支持部２１に取外し可能に設けることができるように、係合凸部６１を被係合凹部６２から抜出可能に構成してもよい。これにより、第２実施形態で詳述するように、背凭れ部４が連結された座部３が挿通可能な開口２１ｃを座部支持部２１に設けておけば、座部３および背凭れ部４を座部支持部２１に対して容易に着脱することができる。リクライニング椅子１は、このように構成することにより、製造工程が簡略化するとともに、収納性がさらに向上する。
【００３２】
係合凸部６１は、本実施形態では、図３に示されるように、座部３の左右方向に延びる略円柱状に形成されており、それによって被係合凹部６２内での軸周り回転が許容される。したがって、座部３は、この係合凸部６１（可動軸３３）を中心として、台部２に対して回転可能に構成される。たとえば、図２の所定の基準位置にある座部３は、係合凸部６１（可動軸３３）を中心として、後側に対して前側が上方に持ち上がるように（図２中、反時計方向に）回転することができる。本実施形態のリクライニング椅子１では、座部３が回転するような負荷が座部３に加わるようなことがあった場合に、その負荷により座部３が回転する一方、回転される座部３は、付勢部材５によって基準位置に戻るように付勢される。そして、座部３は、両者の力がバランスしたバランス位置に位置付けられる。本実施形態のリクライニング椅子１では、座部３は、前後方向だけでなく回転方向に対しても、バランス位置に位置付けられるとともに、バランス位置を中心に揺動可能なので、着座者はより快適に着座することができる。
【００３３】
（第２実施形態）
図６は、本発明の第２実施形態に係るリクライニング椅子１０の分解斜視図を示す。図６では、上述した第１実施形態に係るリクライニング椅子１と同一の構成要素に同じ符号が付されている。以下において、第２実施形態のリクライニング椅子１０について、第１実施形態のリクライニング椅子１と共通する点（変形例も含む）については説明を省略し、第１実施形態のリクライニング椅子１との相違点を中心に説明する。
【００３４】
第２実施形態のリクライニング椅子１０では、台部２の座部支持部２１は、座部３が挿通可能な開口２１ｃを上側に有しており、背凭れ部４に連結された状態の座部３を、開口２１ｃを通して上側から（図６中の矢印を参照）座部支持部２１に設置可能に構成されている。したがって、リクライニング椅子１０は、製造に際して、座部３および背凭れ部４をそれぞれ別工程で座部支持部２１に設ける必要がなく、座部３および背凭れ部４を座部支持部２１に１工程で設けることができるので、製造工程を簡略化できる。
【００３５】
また、第２実施形態のリクライニング椅子１０では、第１実施形態のリクライニング椅子１で用いられる可動軸３３のかわりに、座部３に対して取り外し可能に設けられる取外軸３４が用いられる。取外軸３４は、座部３に設けられた雌ネジ部３５に螺合する雄ネジ部３４ａと、座部３に取り付けられた際に、座部３の左右方向の側面から突出する係合凸部６１とを備えている。係合凸部６１は、台部２に座部３が設けられた状態で、座部３に対して着脱自在に構成され、上述した第１実施形態における係合凸部と同様に機能する。第２実施形態のリクライニング椅子１０では、背凭れ部４が連結された座部３を座部支持部２１に設けた状態で係合凸部６１を座部３に取り付けることができるので、リクライニング椅子１０の組み立てが非常に容易である。さらに、背凭れ部４が連結された座部３を座部支持部２１に設けた状態で係合凸部６１を座部３から取り外すことができるので、台部２から座部３および背凭れ部４を容易に取り外すことができる。したがって、リクライニング椅子１０の収納性が格段に向上する。なお、台部２に座部３が設けられた状態で、台部２に対して着脱自在に構成されて、被係合凹部６２が座部３に設けられてもよい。
【００３６】
（第３実施形態）
図７は、本発明の第３実施形態に係るリクライニング椅子２０の分解斜視図を示す。図７では、上述した第１および第２実施形態に係るリクライニング椅子１、１０と同一の構成要素に同じ符号が付されている。以下において、第３実施形態のリクライニング椅子２０について、第１および第２実施形態のリクライニング椅子１、１０と共通する点（変形例も含む）については説明を省略し、第１および第２実施形態のリクライニング椅子１、１０との相違点を中心に説明する。
【００３７】
第３実施形態のリクライニング椅子２０では、第１および第２実施形態に係るリクライニング椅子１、１０とは異なり、台部２に対する座部３の上方向への移動を規制する規制部６が設けられていない。リクライニング椅子２０は、座部３および背凭れ部４の自重、または、座部３および背凭れ部４の自重ならびに着座者による荷重によって、台部２に対する座部３の上方向への移動が規制または抑制されるように構成されている。そして、リクライニング椅子２０は、背凭れ部４に連結された状態の座部３を、開口２１ｃを通して上側から（図７中の矢印を参照）座部支持部２１に設置可能に構成されている。リクライニング椅子２０は、背凭れ部４に連結された状態の座部３を台部２の上側から挿入して載置するだけで組み立てが完了するので、極めて容易に製造することができる。さらに、リクライニング椅子２０は、座部３および背凭れ部４の自重に抗して、座部３および背凭れ部４を持ち上げるだけで、台部２から座部３および背凭れ部４を容易に取り外すことができるので、その収納性が格段に向上する。
【００３８】
また、リクライニング椅子２０の座部支持部２１は、図７に示されるように、座部３の下面に摺接して座部３の下方への移動を規制する一対の摺り桟２１ｄ、２１ｄを備えている。本実施形態では、座部３は、一対の摺り桟２１ｄ、２１ｄによって下方向への移動が規制され、一対の側方摺接部２１ｂ、２１ｂによって左右方向への移動が規制されて、座部支持部２１に対して前後方向への摺動が案内される。一対の摺り桟２１ｄ、２１ｄのそれぞれは、前後方向に延びる略直方形状の部材であり、一対の側方摺接部２１ｂ、２１ｂのそれぞれに対して略平行に固定されている。また、一対の摺り桟２１ｄ、２１ｄのそれぞれは、その前後方向の長さが座部３の前後方向の長さよりも長くなるように形成されている。座部３は、前後方向に延びる摺り桟２１ｄ、２１ｄによって下方から支持されながら摺動するので、より安定して摺動することができる。
【００３９】
また、リクライニング椅子２０の座部支持部２１は、図７に示されるように、座部３が所定位置以上に後側に摺動するのを規制する一対の後側摺動規制部２１ｅ、２１ｅを備えている。一対の後側摺動規制部２１ｅ、２１ｅのそれぞれは、座部支持部２１の一対の摺り桟２１ｄ、２１ｄのそれぞれの後端側の上面に、上方向に突出するように設けられている。一対の後側摺動規制部２１ｅ、２１ｅのそれぞれは、座部３が後側に摺動した際に座部３（座部摺接部３１、３１）の後端が当接して、座部３をそれ以上後側に摺動させないように構成されている。また、座部３は、座部３が所定位置以上に前側に摺動するのを規制する前側摺動規制部３６を備えている。前側摺動規制部３６は、座部３（中央連結部３２）の左右方向略中央で、座部３の後端側の下面に、下方向に突出するように設けられている。前側摺動規制部３６は、座部３が前側に摺動した際に座部支持部２１の下方摺接部２１ａの後端と当接して、座部３をそれ以上前側に摺動させないように構成されている。一対の後側摺動規制部２１ｅ、２１ｅおよび前側摺動規制部３６の設けられる位置は、座部３が所定の範囲内で前後方向に摺動できるように位置付けられていれば、特に限定されることはなく、座部３の要求される摺動範囲に応じて適宜設定することができる。
【符号の説明】
【００４０】
１、１０、２０  リクライニング椅子
２  台部
２１  座部支持部
２１ａ  下方摺接部
２１ｂ  側方摺接部
２１ｃ  開口
２１ｄ  摺り桟
２１ｅ  後側摺動規制部
２２  固定軸
２３  前側支持脚
２４  後側支持脚
２５  肘掛
３  座部
３１  座部摺接部
３２  中央連結部
３３  可動軸
３４  取外軸
３４ａ  雄ネジ部
３５  雌ネジ部
３６  前側摺動規制部
４  背凭れ部
４１  下側背凭れ部
４２  上側背凭れ部
４ａ  背凭れ部の後面
５  付勢部材（引張りコイルばね）
６  規制部
６１  係合凸部
６２  被係合凹部
７  蝶番
Ｂ  固定手段
Ｆ  係止手段
【図１】
2019017866.tif 000003
【図２】
2019017866.tif 000004
【図３】
2019017866.tif 000005
【図４】
2019017866.tif 000006
【図５】
2019017866.tif 000007
【図６】
2019017866.tif 000008
【図７】
2019017866.tif 000009